(57)【要約】【課題】  体のケア、治療に適用できる一体成形したカバーの提供。【解決手段】  繊維材質の内層と、高分子重合材質の外層とからなるカバーは、繊維材質の内層が各様式の美容ケアの保養品又は皮膚治療の医薬品を吸収でき、高分子重合材質の外層が水分の浸透を防止できるようにされ、内外層の周辺が、熱処理による接合の方式によって接合され、繊維材質の内層に付着する液体が流出、垂れ、又は衣服及び家具に付着することを防止ながら、自由に活動できるようにした特色を備えるものである。【選択図】      図１
0003128528.tif 000002
【実用新案登録請求の範囲】
【請求項１】
一体成形され、体の局部部位をカバーし且つ液体を加えるための開口部を有するカバーであって、液体を吸収可能な少なくとも１層の繊維材質の内層と、防水機能を持ち、繊維材質の内層により吸収された液体の流出を防止可能な高分子重合材質の外層とを備えることを特徴とするカバー。
【請求項２】
前記繊維材質の内層と高分子重合材質の外層は、互いに周辺が、熱による接合、粘着剤による接合、又は縫製の方式で密接に結合し接合され、保養液又は水薬が隙間から浸透しないようにすることを特徴とする請求項１記載のカバー。
【請求項３】
前記繊維材質の内層は、液体を吸収可能な各種の秤量のスバンレース、乾式パルプ不織布、その他の不織布、又は各種の紡織布であることを特徴とする請求項１記載のカバー。
【請求項４】
前記繊維材質の内層の形状は、使用の部位に応じて切られた形状であることを特徴とする請求項１記載のカバー。
【請求項５】
前記繊維材質の内層は、加えた保養液又は皮膚治療用の水薬を吸収可能で、且つ表皮に密接されることにより、皮膚に保養液又は水薬を十分吸収できることを特徴とする請求項１記載のカバー。
【請求項６】
前記液体は、保養液又は皮膚治療用の水薬である、請求項１記載のカバー。
【請求項７】
前記高分子重合材質の外層は、水分の浸透を防止する特性を有し、その材質が、ポリエチレン、ポリプロピレン、ポリ塩化ビニール、エチレン・ビニール・アセテート又は前記材質の混合物であることを特徴とする請求項１記載のカバー。
【請求項８】
前記高分子重合材質の外層と繊維材質の内層とは形状が同一であり、前記開口部では、前記外層又は前記内層のいずれか一方が突出し、その突出した部分の面積を利用して容易に開けることができる開口を形成することを特徴とする請求項１記載のカバー。
【請求項９】
前記繊維材質の内層の形状を手形とすることを特徴とする請求項４記載のカバー。
【請求項１０】
前記繊維材質の内層の形状を足形とすることを特徴とする請求項４記載のカバー。
【考案の詳細な説明】
【技術分野】
【０００１】
本考案は、カバーに関し、特に使用者が使用するとき自由に活動できるよう、体のケア、治療に使うカバーに関する。
【背景技術】
【０００２】
従来、皮膚表面をケアすることにおいて、保養品、又は医薬品を直接に固定部位又は患部に塗りつけることが普通である。しかし、活動するときに保養品又は医薬品を拭わなければならず、それ故、その使用効果を低下させることがよくある。最近、提案された敷膜は、使用性で大幅に簡素化され、また吸収効果にも強められたもので、体の各部位に対するものも次から次へと提案されている。美白保湿医療用手足のカバー構造は、手足を直接にカバーすることができるため、使用の便利性を向上した（例えば、特許文献１参照）。
【特許文献１】中華民国第252422号特許
【考案の開示】
【考案が解決しようとする課題】
【０００３】
しかしながら、使用する場合、使用者は、保養品又は医薬品が衣服、家具に垂れたり付着することに用心しなければならない。そのため、如何にして使用する過程中、ケア、治療の効果を奏しながらも、保養品又は医薬品が流れ出て衣服、家具に垂れたり付着することなく自由に活動できるか、相関装置及び方法の開発が課題である。
【０００４】
本考案は、使用中、随意に活動でき、且つ保養品又は医薬品が流れ出て衣服及び家具に垂れたり付着することなく、体の保養、ケアに使うことを兼ねるカバーの技術を提供することを目的とする。
【課題を解決するための手段】
【０００５】
本考案は、一体成形されたカバーを提供することを目的とする。体の一部の部位をカバーし且つ液体を加えることが可能な開口を有するカバーは、少なくとも二層の繊維材質の内層と高分子重合材質の外層とを含み、該繊維材質の内層の材質が、各種の成分例えば各種の秤量のスバンレ-ス、乾式パルプ不織布、その他の不織布、各種の紡織布などのように液体を吸入可能な各種の材質であればよく、各種の美容ケア保養品、または皮膚局部治療医藥品を吸収可能な特徴を有し、該高分子重合材質は、外層の材質として、ポリエチレン（Polyethylene, PE）、ポリプロピレン（polypropylene, PP）、ポリ塩化ビニール（polyvinyl chloride, PVC）、エチレン・ビニール・アセテート（Ethylene vinyl acetate, EVA）又は前記材質の混合物である。
【０００６】
本考案のカバーは、その繊維材質の内層及び高分子重合材質の外層の外形が使用部位の形状及び大きさと一致又は近似するよう、適切な形状に切られ、その内外層の周辺の接合部が、熱処理による接合、粘着剤による接合、縫製などの方式で緊密に接合されることによって、繊維材質の内層に吸収された液体が垂れ、流出又は衣服及び家具に付着することを防ぐ。
【考案の効果】
【０００７】
本考案のカバーを手の一般的なケアに適用する場合、該カバーを手の形に成形し、カバーに手を入れてから、手部保養品又は医藥品を加えて、繊維材質の内層に染み込ませ、且つ軽く押さえることによって、繊維材質の内層と皮膚とを密接させる。手の皮膚に対る治療、例えば、手の湿疹などの病気を治療する場合、膏薬を患部に塗りつけ、或いは水薬を繊維材質の内層に染み込ませ、それを患部に密接させることで十分な治療の効果を奏する。
【０００８】
本考案のカバーを足の一般的なケアに適用する場合、該カバーを靴の形に成形し、カバーに足を入れてから、足部保養品又は医藥品を加えて、繊維材質の内層に染み込ませ、且つ軽く押さえることによって、繊維材質の内層と皮膚とを密接させる。足の皮膚に対する治療、例えば、水虫などの病気を治療する場合、膏薬を患部に塗りつけ、或いは水薬を繊維材質の内層に染み込ませ、それを患部に密接させることで、使用しながら自由活動でき、十分な治療の効果を奏する。
【考案を実施するための最良の形態】
【０００９】
本考案の目的、特徴及び効果を明瞭するために、図面を参照しながら下記実施の形態により本考案を詳しく説明する。
【００１０】
図１を参照する。図１は本考案の手カバーの斜視図である。該手カバー１００は、繊維材質の内層１０と、高分子重合の材質の外層２０とが手の形に切られ、その内外層の周辺の接合部３０を、熱処理による接合、粘着剤による接合、又は縫製の方式でそれを密接に接合させる。開口部４０が、手を入れ、且つ手部保養品又は皮膚治療医藥品を繊維材質の内層１０に加えいれるようにされており、軽く押さえると手の皮膚が繊維材質の内層に密接され、繊維材質の内層における保養液又は皮膚の治療薬物を直接に吸収できるので、十分にケア、治療の効果を奏する。
【００１１】
図２は本考案の手カバーの分解図である。該手のカバー１００は、繊維材質の内層１０と、高分子重合材質の外層２０とからなり、下から上へと順次に、高分子重合材質の外層２０、繊維材質の内層１０、繊維材質の内層１０、高分子重合材質の外層２０となる。該繊維材質の内層の材質としては、各種の秤量のスバンレ-ス、乾式パルプ不織布、その他の不織布、各種の紡織布などのように液体を吸入可能な各種の材質であってもよく、美容ケア保養品又は皮膚治療医藥品を吸収する特色を有する。該高分子重合材質の外層の材質は、ポリエチレン（Polyethylene, PE）、ポリプロピレン（polypropylene, PP）、ポリ塩化ビニール（polyvinyl chloride, PVC）、エチレン・ビニール・アセテート（Ethylene vinyl acetate, EVA）又は前記材質の混合物であり、保養品又は医藥品が垂れること、流出すること、又は衣服及び家具に付着することを防ぐようなものである。
【００１２】
図３は本考案の手カバーの実施例の図であり、使用する際、手が開口部４０からカバー内に入り、繊維材質の内層１０との密接により、美容ケア保養品又は皮膚治療医藥品を十分に吸収できる。また高分子重合材質の外層２０の防水特性により、保養品又は医藥品垂れ、衣服及び家具への付着を防ぐ効果を奏し、並びに保養しながら一般的な生活中の動作を行うことができる。内層１０と外層２０は、接合部３０により接合されている。
【００１３】
図４は本考案のカバーの断面図である。該繊維材質の内層１０により、体の局部を２つの方向から十分にカバーしており、該繊維材質の内層１０の上に、繊維材質の内層１０が吸収した保養品又は医藥品の垂れ、衣服及び家具への付着を防止するための高分子重合材質の外層２０があり、また周辺の接合部３０が、熱による接合、粘着剤による接合又は縫製の方式によって密接される。
【００１４】
図５の（Ａ）〜（Ｃ）は本考案による足カバーの変形の実施例の平面図である。図５の（Ａ）は船形の足カバーの実施例２００である。図５の（Ｂ）は短靴形の足カバーの実施例２０１であり、保養部位を更に踝までとする。図５の（Ｃ）は長靴形の足カバーの実施例２０２であり、保養部位を更に膝までとする。図５の（Ａ）において、該繊維材質の内層１０及び高分子重合材質の外層２０が船形に切られ、その内外層の周辺の接合部３０が、熱処理による接合、粘着剤による接合、又は縫製の方式で密接されている。開口部４０から、足を入れるともに、また足部の保養品又は医藥品を繊維材質の内層１０に加えて軽く押さえることで、足部皮膚を繊維材質の内層に密接させ、繊維材質の内層に染み込んだ保養品又は医藥品を直接に吸収することにより、ケア、治療の効果を十分に奏する。
【００１５】
図６の（Ａ）〜（Ｃ）は本考案による手カバーの変形の実施例の平面図である。図６の（Ａ）は、親指と其の他の４つの指とに分けた本考案による手カバー１００であり、ケア、治療の範囲を拡大するための延ばし部１１を有する。図６の（Ｂ）は、５つの指に分けた本考案による手カバー１０１であり、ケア、治療の範囲を拡大するための延ばし部１１を有する。図６の（Ｃ）は、手の全体を覆うような本考案による手カバー１０２であり、ケア、治療の範囲を拡大するための延ばし部１１を有する。
【００１６】
図７は、従来技術の足カバーの構造図である。従来の足カバー２０３は、布カバー１０Ａをスリッパの形状に切り、縫製をしたもので、接合部３０Ａが設けられている。開口部４０Ａから足を入れてから、布カバー１０Ａに染み込んだ保養液を吸収する。
【図面の簡単な説明】
【００１７】
【図１】本考案の手カバーを示す斜視図である。
【図２】本考案の手カバーを示す分解図である。
【図３】本考案の手カバーの実施例を示す斜視図である。
【図４】本考案のカバーの断面図である。
【図５】本考案による足カバーの形態を示す平面図である。
【図６】本考案による手カバーの形態を示す平面図である。
【図７】従来技術の構造を示す斜視図である。
【符号の説明】
【００１８】
１０    内層繊維材質層
１１    延ばし部
２０    外層高分子重合材質層
３０    接合部
４０    開口部
１００    親指及び其の他の指と分けた手カバー
１０１    ５つの指に分けた手カバー
１０２    手全体を覆う手カバー
２００    船形の足カバー
２０１    短靴形の足カバー
２０２    長靴形の足カバー
２０３    足カバー
【図１】
0003128528.tif 000003
【図２】
0003128528.tif 000004
【図３】
0003128528.tif 000005
【図４】
0003128528.tif 000006
【図５】
0003128528.tif 000007
【図６】
0003128528.tif 000008
【図７】
0003128528.tif 000009